(57)【要約】  パイロット弁アセンブリ（１０）は筒状のコネクター（１２）を含み、該コネクターは液圧弁（１００）のねじ山を刻設した制御ソケット（１０６）を係合するための外部ねじ山（１８）を備えた第１の端部（１６）と、それ自体の縁のまわりで配置される多くの歯（２２）を備えた第２の端部（２０）とを有する。コネクター（１２）の周囲の周囲溝（２４）は第２の端部（２０）から一定間隔で配置される。アセンブリは、液圧式制御弁アクチュエータ室内の圧力を制御するための機構を備えたパイロット弁（２６）も含む。パイロット弁（２６）は、一連の角度方向でコネクター（１２）の歯（２２）と係合するための相補的な歯（３０）を有する凹部（２８）を形成される。クランプ装置は、周囲溝（２４）を係合し、およびパイロット弁（２６）コネクター（１２）の第２の端部（２０）に対してクランプし、それによって、パイロット弁の角度方向を固定する。【選択図】なし
2021534359.tif 000002
【特許請求の範囲】
【請求項１】
液圧式制御弁に接続するためのパイロット弁アセンブリであって、前記液圧式制御弁は少なくとも部分的にアクチュエータ室を収容するカバーを有し、前記カバーは、液圧式制御弁のアクチュエータ室と液圧式制御弁の下流側接続部との流体流連通状態にある流れチャネルへのアクセスを提供するねじ山を刻設した制御ソケットを有し、前記パイロット弁アセンブリは、
（ａ）  コネクターであって、該コネクターは、全体的に筒状の本体であって、前記本体の軸に平行に延在する内部通路を囲む、本体と、液圧式制御弁のねじ山を刻設された制御ソケットと係合するための外部ねじ山を備えて形成される、前記コネクターの第１の端部と、前記コネクターの第２の端部であって、前記第２の端部の縁のまわりで配置される一連の歯が設けられる、第２の端部と、前記コネクターの外面において前記第２の端部から一定間隔をとって形成される、周囲溝とを含む、コネクターと、
（ｂ）  液圧式制御弁アクチュエータ室内で圧力を制御するための機構を含むパイロット弁であって、前記パイロット弁は前記コネクターの前記第２の端部とかみ合うように構成された凹部を有し、前記凹部は複数の角度方向において前記コネクターの前記一連の歯と係合するように構成された複数の相補的な歯を有する、パイロット弁と、
（ｃ）  前記一連の歯と係合した前記相補的な歯によって前記コネクターの前記パイロット弁を前記第２の端部にクランプすることで、パイロット弁の角度方向を固定するように、前記周囲溝と係合するためのクランプ装置とを含む、パイロット弁アセンブリ。
【請求項２】
前記クランプ装置は、前記パイロット弁において形成されたガイドチャネルを通して挿入するための２つの楔爪を有するフォーク状の楔を含み、これにより、前記楔爪は前記周囲溝と係合し、および前記パイロット弁を前記コネクターの前記第２の端部に対して徐々に絞めつけることを特徴とする、請求項１に記載のパイロット弁アセンブリ。
【請求項３】
前記一連の歯は、前記コネクターの前記第２の端部の軸方向に面する末端面の上に配置され、および軸方向に突出することを特徴とする、請求項１に記載のパイロット弁アセンブリ。
【請求項４】
前記パイロット弁は、コネクターチューブをさらに含み、前記コネクターチューブは前記凹部から突出し、および、液圧式制御弁の制御流路のアパーチャに接続するように、前記コネクターの前記内部通路を通って延在するように構成されていることを特徴とする、請求項１に記載のパイロット弁アセンブリ。
【請求項５】
前記パイロット弁は、少なくとも下流の接続部からの圧力に応じて、液圧式制御弁のアクチュエータ室内の圧力を制御するように構成された、減圧パイロット弁であることを特徴とする、請求項１に記載のパイロット弁アセンブリ。
【請求項６】
前記パイロット弁は、少なくとも下流の接続部における圧力に応じて、液圧式制御弁のアクチュエータ室から下流の接続部までの流路を調節するように構成されることを特徴とする、請求項１に記載のパイロット弁アセンブリ。
【請求項７】
前記パイロット弁は、液圧式制御弁アクチュエータ室への流路を、上流の接続部に接続された第１の状態と、流れを抑止する第２の状態と、液圧式制御弁アクチュエータ室から圧力を排出するための第３の状態との間で切り替えるように構成されることを特徴とする、請求項１に記載のパイロット弁アセンブリ。
【請求項８】
前記パイロット弁はダイヤフラムパイロット弁であることを特徴とする、請求項１に記載のパイロット弁アセンブリ。
【請求項９】
前記パイロット弁は、ばねによって付勢されるばね付勢式ダイアフラムと、前記ばねに適用される荷重を変化させるためのばね調整機構とを含むことを特徴とする、請求項１に記載のパイロット弁アセンブリ。
【発明の詳細な説明】
【技術分野】
【０００１】
本発明は流体流を制御するための液圧式制御弁に関し、具体的には、そのような液圧式制御弁と共に使用するためのパイロット弁アセンブリに関する。
【背景技術】
【０００２】
液圧式制御弁のアクチュエータ室に調節圧力を提供するためにパイロット弁アセンブリを使用することが知られている。パイロット弁が減圧、圧力保持、流量制限などを含むが、これらに限定されない、様々な異なるタイプの制御を達成するための様々な異なる作動原理が知られている。パイロット弁は、通常、上流圧力および／または下流圧力に反応し、および液圧式制御弁のアクチュエータ室と流体連通状態にある。このような様々な機能は、液圧式制御弁とパイロット弁の本体の外側にある接続配管を使用して達成されることが多い。他の場合には、特別に設計された弁アセンブリは、１つの筐体の中で液圧式制御弁とパイロット弁とを組み合わせてもよい。
【０００３】
ある事例では、液圧式制御弁は単純なオンオフのリモートコントロール機能のために設計されてもよい。１つのそのようなオプションは液圧式制御弁を採用しており、ここで、カバーはアクチュエータ室を囲み、このカバーはねじ山が刻設された制御ソケットを有し、この制御ソケットは、液圧式制御弁のアクチュエータ室と液圧式制御弁の下流側接続部との流体流連通状態にある流れチャネルへのアクセスを提供する。ねじ山を刻設された制御ソケットは好ましくは標準的なソレノイド弁制御装置を受けるように構成され、制御弁を２つの状態間で切り替えるのに有効である流れチャネルの選択的な開放と閉鎖を可能にする。
【発明の概要】
【０００４】
本発明は、液圧式制御弁に接続するためのパイロット弁アセンブリである。
【０００５】
本発明の実施形態の教示によると、液圧式制御弁に接続するためのパイロット弁アセンブリが提供され、前記液圧式制御弁は少なくとも部分的にアクチュエータ室を収容するカバーを有し、前記カバーは、液圧式制御弁のアクチュエータ室と液圧式制御弁の下流側接続部との流体流連通状態にある流れチャネルへのアクセスを提供する、ねじ山を刻設された制御ソケットを有し、前記パイロット弁アセンブリは、以下のものを含む：（ａ）コネクターであって、該コネクターは、全体的に筒状の本体であって、本体の軸に平行に延在する内部通路を囲む、本体と、液圧式制御弁のねじ山を刻設された制御ソケットと係合するための外部ねじ山を備えて形成される、コネクターの第１の端部と、コネクターの第２の端部であって、前記第２の端部の縁のまわりで配置される一連の歯が設けられる、第２の端部と、コネクターの外面において第２の端部から一定間隔をとって形成される、周囲溝とを含む、コネクター；（ｂ）液圧式制御弁アクチュエータ室内で圧力を制御するための機構を含むパイロット弁であって、前記パイロット弁は前記コネクターの前記第２の端部とかみ合うように構成された凹部を有し、前記凹部は複数の角度方向においてコネクターの一連の歯と係合するように構成された複数の相補的な歯を有する、パイロット弁；（ｃ）前記一連の歯と係合した前記相補的な歯によって前記コネクターの前記パイロット弁を前記第２の端部にクランプすることで、パイロット弁の角度方向を固定するように、前記周囲溝と係合するためのクランプ装置。
【０００６】
本発明の実施形態のさらなる特徴によると、クランプ装置は、パイロット弁において形成されたガイドチャネルを通して挿入するための２つの楔爪を有するフォーク状の楔を含み、これにより、楔爪は前記周囲溝と係合し、およびパイロット弁をコネクターの第２の端部に対して徐々に絞めつける。
【０００７】
本発明の実施形態のさらなる特徴によると、一連の歯は、コネクターの第２の端部の軸方向に面する末端面の上に配置され、および軸方向に突出する。
【０００８】
本発明の実施形態のさらなる特徴によると、パイロット弁は、コネクターチューブをさらに含み、該コネクターチューブは前記凹部から突出し、および、液圧式制御弁の制御流路のアパーチャに接続するように、コネクターの内部通路を通って延在するように構成される。
【０００９】
本発明の実施形態のさらなる特徴によると、パイロット弁は、少なくとも下流の接続部からの圧力に応じて、液圧式制御弁のアクチュエータ室内の圧力を制御するように構成された、減圧パイロット弁である。
【００１０】
本発明の実施形態のさらなる特徴によると、パイロット弁は、少なくとも下流の接続部における圧力に応じて、液圧式制御弁のアクチュエータ室から下流の接続部までの流路を調節するように構成される。
【００１１】
本発明の実施形態のさらなる特徴によると、パイロット弁は、液圧式制御弁アクチュエータ室への流路を、上流の接続部に接続された第１の状態と、流れを抑止する第２の状態と、液圧式制御弁アクチュエータ室から圧力を排出するための第３の状態との間で切り替えるように構成される。
【００１２】
本発明の実施形態のさらなる特徴によると、パイロット弁はダイヤフラムパイロット弁である。
【００１３】
本発明の実施形態のさらなる特徴によると、パイロット弁は、ばねによって付勢されるばね付勢式ダイアフラムと、そのばねに適用される荷重を変化させるためのばね調節機構とを含む。
【図面の簡単な説明】
【００１４】
本発明は、ほんの一例ではあるが添付図面の参照と共に本明細書に記載される。
【図１】本発明の実施形態に従って構築され、および動作する、パイロット弁アセンブリが嵌め込まれた液圧式制御弁の等角図である。
【図２】パイロット弁アセンブリの取り付け前の図１の液圧式制御弁全体にわたってとられた長手方向の横断面図である。
【図３】パイロット弁アセンブリが嵌め込まれた図１の液圧式制御弁全体にわたってとられた長手方向の横断面図である。
【図４Ａ】コネクターを含むパイロット弁アセンブリの構成要素を図１の液圧式制御弁の領域と共に示す等角の分解立体図である。
【図４Ｂ】図４Ａのコネクターを拡大した等角図である。
【図５】図１のパイロット弁アセンブリの構成要素を示す等角の分解立体図であり、パイロット弁はコネクターと噛み合わせるための凹部の構造を明らかにするために逆転されて示されている。
【図６Ａ】液圧式制御弁の一部と共に示された図１のパイロット弁アセンブリの側面図であり、領域「Ｍ」が円で囲まれている。
【図６Ｂ】パイロット弁アセンブリのコネクターの中心軸に平行な平面でとられ、図６Ａの領域「Ｍ」においてとられた、楔による締め付け機構の動作を例示している、部分横断面図である。
【図７】液圧式制御弁の一部と共に示された図１のパイロット弁アセンブリの概略的な平面図であり、パイロット弁アセンブリは、見出し文字（Ａ−Ｄ）で印をつけられた様々な角度方向に位置した状態でのパイロット弁を示している。
【図８】本発明の実施形態による、液圧式制御弁とコネクターの横断面図においてパイロット弁アセンブリの１つの実装を概略的に示す概略図であり、該パイロット弁アセンブリには二方弁の制御方式が用いられている。
【図９Ａ】図１のパイロット弁アセンブリの平面図であり、液圧式制御弁の一部と共に線Ａ−Ｂを示している。
【図９Ｂ】図８のパイロット弁アセンブリの実装を示す、図９Ａの線Ａ−Ｂに沿ってとられた断面図である。
【図１０】本発明の実施形態による、液圧式制御弁とコネクターの横断面図においてパイロット弁アセンブリが概略的に示される、さらなる実装の概略図であり、該パイロット弁アセンブリには三方弁の制御方式を用いている。
【発明を実施するための形態】
【００１５】
本発明は、液圧式制御弁に接続するためのパイロット弁アセンブリである。
【００１６】
本発明に係るパイロット弁アセンブリの原理および操作は、図と添付の記載を参照することで一層よく理解され得る。
【００１７】
ここで図面を参照すると、図１から図１０は、液圧弁（１００）に接続するための、本発明のある実施形態の教示に従って構築され、および動作する、パイロット弁アセンブリ（１０）の様々な実装を示している。本発明は特に、少なくとも部分的にアクチュエータ室（１０４）を収容するカバー（１０２）がある液圧式制御弁（１００）に適用可能であり、ここでカバー（１０２）はねじ山を刻設された制御ソケット（１０６）を有し、それは、流路（１０８）および（１１０）にアクセスを提供し、それらは、それぞれアクチュエータ室（１０４）と液圧式制御弁（１００）の下流側接続部（１１２）との流体流連通状態にある。
【００１８】
パイロット弁アセンブリ（１０）の特に好ましいある実装は、コネクター（１２）を含み、それは図４Ａから図５、図６Ｂおよび図９Ｂで最もよく示されており、全体的に筒状の本体を有し、内部通路（１４）を囲み、本体の軸に平行に延在する。コネクター（１２）の第１の端部（１６）は、液圧式制御弁（１００）のねじ山を刻設された制御ソケット（１０６）との係合のために、外部ねじ山（１８）と共に形成される。コネクターの第２の端部（２０）には、第２の端部（２０）の縁のまわりで配置される一連の歯（２２）が設けられている。周囲溝（２４）は、コネクター（１２）の外部表面において第２の端部（２０）から一定間隔をとって形成される。
【００１９】
パイロット弁アセンブリ（１０）はまた、液圧式制御弁アクチュエータ室内の圧力を制御するための機構を含むパイロット弁（２６）も含む。パイロット弁（２６）は、コネクター（１２）の第２の端（２０）とかみ合うように構成された凹部（図５を参照）を備えて形成される。凹部（２８）は、複数の角度方向のいずれかにおいてコネクター（１２）の歯（２２）と係合するように構成された複数の相補的な歯（３０）を有する。
【００２０】
周囲溝（２４）を係合するためのクランプ装置も設けられ、その結果、一連の歯（２２）と係合された相補的な歯（３０）によりコネクター（１２）の第２の端部（２０）に対してパイロット弁（２６）がクランプされ、それにより、パイロット弁の角度方向が固定される。
【００２１】
この段階において、本発明のある好ましい実施形態が非常に有利なモジュラリティーおよび便宜を提供することは既に認められるであろう。具体的にはコネクター（１２）を使用することによって、標準的な液圧式制御弁の、標準的なねじ山を刻設された制御ソケットへの直接的な接続によって多種類のパイロット弁を用いることが可能であり、しかも、外部配管に対する必要性を少なくするか、または無くすことさえ可能である。パイロット弁（２６）とコネクター（１２）との間の係合の構成は、角度方向の選択を可能にし、それは液圧式制御弁（１００）およびパイロット弁（２６）の両方の構造に、および隣接して取り付けられた他のいかなる構成要素にも、対応可能であり、従って、好ましくはクランプする間にパイロット弁の回転運動を必要とせずに、クランプ装置を使用してその方向付けを固定させる。そのような可能な方向付けの選択は、図７において、方向付けＡ、Ｂ、Ｃ、およびＤとして、互いに重ねられて概略的に例示される。本発明の様々な実施形態のこれらの、および他の利点は、以下の記載および添付の図面を参照することにより、一層よく理解されるだろう。
【００２２】
ここで、図２を参照すると、本発明は広い範囲の液圧式制御弁（１００）の文脈において実装されてもよく、限定されないが、可撓性ダイアフラムに作用するアクチュエータ室の圧力によって操作される制御弁、および、ピストンに作用するアクチュエータ室の圧力によって操作される制御弁が含まれる。１つの非限定的な具体例として、図２は、可撓性ダイアフラム（１１４）の外周がカバー（１０２）と弁の本体（１１６）との間でクランプされる、ダイアフラム弁を示す。ダイアフラムの真中に弁座（１２０）に対して選択的に閉じるプラグ（１１８）が載置される。一定の事例では、（以下にさらに議論されるように）使用されるパイロット弁の制御のタイプに応じて、制限された流路（１２２）が提供され、この場合はプラグ（１１８）の中央ボアを通って、アクチュエータ室（１０４）の中への制御弁の上流側からの限定された流れが可能となる。
【００２３】
記載されたような液圧式制御弁（１００）が、単に標準的なソレノイドアクチュエータ（ここに示されない）をねじ山が切られた制御ソケット（１０６）へとねじ込むことによってオン／オフの切り替えが可能なコントロール弁として操作可能であることは注目されるべきである。ソレノイドがチャネル（１０８）からチャネル（１１０）への流れを可能にするために「開いている」時、アクチュエータ室（１０４）内の圧力は流路（１２２）経由の制限された流れよりもずっと低いフローインピーダンスを伴って制御弁の下流側に解放され、結果としてアクチュエータ室内および弁の開口部における低い圧力を生じる。ソレノイドが閉状態に切り替えられる時、ソレノイドアクチュエータのシール要素はチャネル（１０８）からチャネル（１１０）への流れを妨げるようにチャネル（１１０）のオリフィスに対して押しつけられる。次に、弁の上流側の圧力が、回避するためのいかなる経路もなく、制限された流路（１２２）の両端で等しくなるに従ってアクチュエータ室（１０４）内の圧力は増加し、増加したアクチュエータ室の圧力は結果としてプラグ（１１８）を閉位置へ押しやる（典型的にはスプリングの補助を伴って）。
【００２４】
本発明のパイロット弁アセンブリは、強化された機能を提供するためのパイロット弁の制御下で作動するために、単にコネクター（１２）を介してパイロット弁を接続することによって、典型的には改造を伴わずに、そのようなオン／オフ弁の転換を容易にする。
【００２５】
ねじ山を刻設された制御ソケット（１０６）へのコネクター（１２）の接続は、好ましくは標準的なねじ山を刻設された係合を介し、典型的には、図６Ｂで最もよく示されている対応する環状凹部において据え付けられてもよいＯ−リングシール（１０７）によって強化され、ソレノイドアクチュエータとコネクターが交換可能となっている。ソケット（１０６）においてコネクター（１２）が取り付けられた後、パイロット弁（２６）のための所望の方向付けが選ばれ、および、それは、相補的な歯（２２）と（３０）が並置され、および相互係合し始めるようにコネクター（１２）と係合させられる。この時点では、方向付けは依然として容易に調節することができる。一旦位置が決定されたならば、クランプ装置は、相補的な歯（２２）と（３０）をしっかりと係合させ、およびパイロット弁２６）をコネクター（１２）に固定するために、使用される。
【００２６】
種々の異なるクランプ装置は、パイロット弁とコネクターとの間の係合を締めつけ、およびそれらを一緒に固定するために使用されてもよい。これらは、クリップ、締め金、クランプ、トグル機構などのあらゆる種類のものを含んでもよい。本明細書に例示される１つの特にシンプルで有効な非限定的な実施例によると、クランプ装置は、フォーク状の楔（３２）を含み、該フォーク状の楔（３２）は、２つの楔爪であって、該楔爪は、周囲溝（２４）に位置を合わされた凹部（２８）と交差するように、パイロット弁（２６）において形成されたガイドチャネル（３６）を通して挿入するためのものである、２つの楔爪（３４）を有する。楔爪（３４）の楔角およびガイドチャネル（３６）の位置合わせは、楔爪が前進するに従って、爪がコネクター（１２）の第２の端部（２０）に対してパイロット弁（２６）を徐々に締めつけるように好ましく選ばれる。絞めつける効果は、図６Ｂの部分的な拡大された横断面図において最もよく例示されており、ここで、楔爪（３４）が周囲溝（２４）の１つの側面とガイドチャネル（３６）の対向面を、凹部（２８）の最も内側の表面に対して偏らせるように、押しつけていることが見られる。
【００２７】
本明細書で例示された特に好ましいオプションにおいて、一連の歯（２２）は、コネクター（１２）の第２の端（２０）の軸方向に面する末端面の上に配置され、および前記歯は軸方向に突出する。本明細書において用語「突出する」は、歯の溝部と相対的にそれらの間にある山に言及するために使用され、しかし、歯は、必ずしもコネクターの端部（２０）を超えて突出するものではない、ということは留意されるべきである。従って、例えば、図４Ｂにおいて示されるように、歯はすべて端部（２０）を規定する連続的なエッジの高さにあるか、またはそれより低く配置されてもよく、そのことは、Ｏリング（３８）によって高められた、凹部２８の基部に対するシールの形成を容易にし得る。
【００２８】
本発明の様々な応用において、パイロット弁（２６）は、ねじ山を刻設された制御ソケット（１０６）内において、２つの流路（１０８）および（１１０）に対する個別の流れ接続部を必要とする。このことは、コネクター（１２）にコネクターを通る２つの別個の流路を決定するための内部構造（図示せず）を設けることにより達成されてもよく、または、図５および図９Ｂに示すように、凹部（２８）から突出し、流路のうちの１つ、この場合、流路（１１０）に関連したアパーチャに接続するためにコネクター（１２）の内部通路を通って延在するように構成された、コネクターチューブ（４０）を設けることにより達成されてもよい。ここで例示されるように、構造において、シール環（４２）は流路（１１０）に対するコネクターチューブ（４０）のシールされた接続を容易にする。
【００２９】
パイロット弁（２６）は、任意の所望の制御方式を実装するように、および、限定されないが、減圧、圧力維持、流量制限、および他の制御機能を含む、任意の所望の制御モードを提供するように、設計されてもよい。非限定的な例として、ここで、本発明は、二方弁と三方弁の装置を採用した制御モードを実装する減圧パイロット弁を参照して記載される。
【００３０】
図８において概略的に、および図９Ｂにおいて具体的な実装の状態で示される第１の例は、下流側に接続された流路（１１０）からパイロットアクチュエータ室（４６）への流れ接続部（４４）を備え、パイロットアクチュエータ室（４６）の圧力は可変流れ絞り（５０）を制御する、ばね付勢式のダイアフラム（４８）に作用する。可変流れ絞り（５０）の上流側は、流路（５４）を介してアクチュエータ室流路（１０８）に接続された容積部（５２）である。流路（１１０）を介して感知されるような液圧式制御弁の下流側の圧力が低い時、ばね付勢式ダイアフラム（４８）は可変流れ絞り（５０）を開いたままにし、それによってアクチュエータ室（１０４）からの圧力を弁の下流側に放出させ、弁の開口をもたらす。下流の圧力が上昇すると、パイロットアクチュエータ室（４６）中の増加した圧力は、可変流れ絞り（５０）が徐々に絞られるように、ばね付勢式ダイアフラム（４８）に作用する。（上に記載されたように）制御弁の上流側からアクチュエータ室内への流路が制限されることによって、絞り（５０）の絞り込みは、アクチュエータ室内部で圧力を徐々に蓄積させ、弁座（１２０）に向かってプラグ（１１８）を変位させるように作用する。従ってこの方式は、アウトプットに対して圧力を調節する機能を提供する。ばね付勢式ダイアフラム（４８）のばねにおける前負荷の度合いを調節することによって、下流のターゲット圧力を調節することができる。随意に、ソレノイドに制御されたプラグ（５６）（ソレノイド（５８）によって制御される）は、パイロット弁を通る流路を選択的に遮るために、もっとも好ましくは流路（５４）において、配置され、それによって、上記の圧力調節状態と、流路（５４）が遮断されて制御弁の閉鎖を引き起こす「オフ」状態との間の、遠隔のおよび／または自動化された切り替えが可能となる。プラグ（５６）または別の弁体（図示せず）は、手動操作というオプションを持っていてもよい。
【００３１】
図１０は、代替的な、減圧のためのパイロット弁の実装を概略的に例示しており、この中で、パイロット弁を介した制御弁の上流側と下流側の間に正味の流れは生じておらず、および、ここで、上流の流体供給からアクチュエータ室内への直接の流路は提供されていない。ここではまた、下流側に接続された流路（１１０）からの流れ接続部（４４）は、圧力がばね付勢式ダイアフラム（４８）に作用するパイロットアクチュエータ室（４６）に対して下流の圧力を与えている。この場合では、ばね付勢式ダイアフラム（４８）は、液圧式制御弁アクチュエータ室（１０４）に接続する流路（６２）と（１０８）の相互連結を、アクチュエータ室の中の圧力を増加させて液圧式制御弁のプラグを閉状態に向かって変位させるように上流の接続（６４）に接続された第１の状態と、液圧式制御弁を現在の状態に維持するように流れを遮断する第２の状態と、液圧式制御弁の開口を拡大するようにベント（６６）を介して液圧式制御弁アクチュエータ室（１０４）から圧力を放出するための第３の状態との間で切り替えるように配置された三方弁（６０）を制御する。ばね付勢式ダイアフラム（４８）のばねにおける前負荷力は、通常ねじ山を刻設された調節ネジなどの、ばね調節機構によって調節され、それによって、三方弁（６０）は、下流の流体の所望の目標圧力において、第２の、流れを遮断する状態をとり、目標値より高い圧力はそれを第１の状態へと動かし、目標値より低い圧力はそれを第３の状態へと動かすようになり、そのことによって、液圧式制御弁の出口における圧力調整を達成している。ソレノイド（５８）は付加的な弁、例えば、二方弁（５７）を制御し、流路（６２）を中断し、および、それを上流の接続流路（６４）に直接接続するために提供されてもよく、それによって、電気作動式の制御弁の閉鎖が達成される。弁（５７）、または別の弁（図示せず）は、ここでは詳述されないが、付加的に、または代替的に、手動操作のオプションを有してもよい。
【００３２】
上記パイロット弁の調整方式がそれ自体で新規ではない一方で、本発明は、これらの原理上で作動するパイロット弁が容易に、かつモジュール式に、シンプルなオン／オフのソレノイド制御のために普通に使用されるねじ山を刻設した制御ソケット（１０６）だけを有する液圧式制御弁に統合されることを可能にしつつ、液圧式制御弁に対するパイロット弁の方向付けについて都合のよい柔軟性を提供し、および随意に工具を必要とせずに構成要素の迅速な接続を容易にする。
【００３３】
添付された請求項が複数の従属関係なしに起草された点について、これは、単にそのような複数の従属関係を許容しない法的管轄区域における方式要件に対応するためにのみ行われた。請求項を複合的に従属させるようにすることにより意味される特徴のあらゆる可能な組み合わせが、明示的に想定され、本発明の一部として考慮されるべきであることを留意されたい。
【００３４】
上記の説明は例としてのみ提供されることを意図しており、添付の特許請求の範囲に定義された本発明の範囲内で他の多くの実施形態が可能であることを理解されるであろう。
【図１】
2021534359.tif 000003
【図２】
2021534359.tif 000004
【図３】
2021534359.tif 000005
【図４Ａ】
2021534359.tif 000006
【図４Ｂ】
2021534359.tif 000007
【図５】
2021534359.tif 000008
【図６Ａ】
2021534359.tif 000009
【図６Ｂ】
2021534359.tif 000010
【図７】
2021534359.tif 000011
【図８】
2021534359.tif 000012
【図９Ａ】
2021534359.tif 000013
【図９Ｂ】
2021534359.tif 000014
【図１０】
2021534359.tif 000015
【国際調査報告】
2021534359.tif 000016
2021534359.tif 000017